(57)【要約】【課題】治具が必要なボタンを有するものにおいて、治具を用意する必要がないリモコンを提供する。【解決手段】リモコン本体１は、治具１６により操作可能なボタン９を有するとともに、電池を開口１３より収納させる収納部４を有する。カバー１４は治具１６を有して、開口１３を着脱自在に閉じる。さらに詳しくはリモコン本体１に指が挿入できない孔９ａを有し、ボタン９が孔９ａ内に沈めて設けられ、治具１６は孔９ａ内に挿入可能な突起としている。またカバー１４は樹脂製であり、治具１６を周縁部に設け、リモコン本体１はカバー１４で開口１３を閉じたときに治具１６を嵌合する凹部を有する。【選択図】        図１
2007006002.tif 000002
【特許請求の範囲】
【請求項１】
治具により操作可能なボタンを有するとともに収納部品を開口より収納させる収納部を有するリモコン本体と、前記治具を有して前記開口を着脱自在に閉じるカバーとを備えたリモコン。  
【請求項２】
前記リモコン本体は指が挿入できない孔を有し、前記ボタンは前記孔内に沈めて設けられ、前記治具は前記孔内に挿入可能な突起である請求項１記載のリモコン。
【請求項３】
前記カバーは樹脂製であり、前記突起を周縁部に設け、前記リモコン本体は前記カバーで前記開口を閉じたときに前記突起を嵌合する凹部を有する請求項２記載のリモコン。
【請求項４】
前記リモコン本体は前記ボタンを照明する光源を有する請求項２または請求項３記載のリモコン。
【発明の詳細な説明】
【技術分野】
【０００１】
この発明は、照明設備その他の電気機器を遠隔操作するリモコンに関するものである。
【背景技術】
【０００２】
照明設備等を遠隔操作する従来のリモコンは、操作のためのボタンを装備するとともに、収納部品として電池などを収納している（例えば特許文献１参照）。
【０００３】
またリモコンに装備しているボタンには、指では操作できないが治具で操作できるものがあった（例えば特許文献２参照）。  
【特許文献１】特開２００３−４６２６８
【特許文献２】特開２００２−３４５９０３
【発明の開示】
【発明が解決しようとする課題】
【０００４】
従来例では、ボタンの操作に治具を必要とするものは、別途治具を用意する必要があるが、適当な治具を探すのが容易ではなかったし、用意していても紛失してしまうおそれがあった。
【０００５】
したがって、この発明の目的は、治具が必要なボタンを有するものにおいて、治具を用意する必要がないリモコンを提供することである。
【課題を解決するための手段】
【０００６】
この発明のリモコンは、リモコン本体が治具により操作可能なボタンを有するとともに収納部品を開口より収納させる収納部を有する。カバーは前記治具を有して前記開口を着脱自在に閉じる。  
【０００７】
上記構成において、前記リモコン本体は指が挿入できない孔を有し、前記ボタンは前記孔内に沈めて設けられ、前記治具は前記孔内に挿入可能な突起である。
【０００８】
上記構成において、前記カバーは樹脂製であり、前記突起を周縁部に設け、前記リモコン本体は前記カバーで前記開口を閉じたときに前記突起を嵌合する凹部を有する。
【０００９】
上記構成において、前記リモコン本体は前記ボタンを照明する光源を有する。
【発明の効果】
【００１０】
この発明のリモコンによれば、着脱自在なカバーに治具を設けたため、カバーをリモコン本体から外すことにより、ボタンを治具で操作することができるので、別途特殊な治具を用意する必要がなく、紛失のおそれもない。
【００１１】
カバーが樹脂成形品の場合、樹脂成形品特有の反りが周縁部に生じても、カバーの周縁部に設けた突起をリモコン本体の凹部に嵌合することにより、カバーの周縁部のそりを矯正することができ、カバーの周縁部とリモコン本体との合わせ部分すなわち嵌合ラインが整い段差を防止できるので意匠品質を損なわない。
【００１２】
ボタンを照明する光源を設けると、光源の光により薄暗い環境下でも、どのボタンを操作するかを把握することができる。
【発明を実施するための最良の形態】
【００１３】
この発明の第１の実施の形態を図１から図５により説明する。すなわち、このリモコンは、例えば複数の照明器具からなる照明設備のオンオフ、調光および照明状態（シーン）の記憶、リセットなどの各種制御を遠隔操作で行うものである。
【００１４】
リモコン本体１は細長い板状をなし、上端部側から下端部にかけて順次、表示部２、操作部３および収納部４を設けている。
【００１５】
表示部２は例えば液晶表示装置により構成し、操作部３の操作の内容等を表示する。
【００１６】
操作部３は扉５を有し、扉５を開いた状態で操作面６上の上端部に略横１列に複数のボタン７を操作面６より突出して設け、右側部のボタン７の下側に縦１列に上面が操作面６と略面一となる複数のボタン８を設けている。さらに操作面６の左側部のボタン８の下側に上面が操作面６より沈み込んだ位置となり特殊な治具で操作できる複数のボタン９を設けている。これらのボタン９の操作面６上の孔９ａは指を挿入できない孔径であり、したがってボタン９を指で操作することができない。またボタン９は操作面６の左寄りの位置に２個横並び配置しているが、例えば図１の想像線のように右側に配置してもよく、位置の制限はない。これらのボタン７〜９で照明設備の各種の制御を割り当てている。例えばボタン９については片方のボタン９で照明設備のメモリの内容のリセット、他方の片方のボタン９または両方のボタン９の同時もしくは連続的な押し操作で照明設備のマイコンのリセットを行うなどである。
【００１７】
さらにボタン８、９の近傍に光源１０例えばＬＥＤを配置して、暗がりでも操作すべきボタンの位置を把握できるようにしている。なおボタン自体を光源として構成してボタンの表面を明るくすることは可能である。
【００１８】
扉５はリモコン本体１の左側に設けたヒンジ１１を介して開閉自在に設けられている。扉５には操作面６より突出したボタン７に対応してこれらを貫通させるボタン孔１２を形成している。したがって、ボタン７は扉５を開くことなく操作することができ、他のボタン８、９は扉５を開いて操作することができる。
【００１９】
収納部４は収納部品として電池（図示せず）を収納し保護するものであり、電池の出し入れ用の開口１３をリモコン本体１の裏面側に形成している。開口１３を塞ぐカバー１４は周縁部のうち操作部３側の中央に係止フック１５を突出し、その両端にボタン９を操作するための特殊な治具１６として例えば突起を一体に形成している。すなわち、カバー１４を収納部４から外して治具１６を操作面６上の孔に挿入し、ボタン９を押し操作することができる。
【００２０】
一方リモコン本体１には、係止フック１５に対応して係止受け部１７を形成するとともに、治具１６が嵌まる穴状の凹部１８を形成している。したがって、カバー１４を開口１３に位置させ係止フック１５を係止受け部１７に係止したとき、治具１６が凹部１８に嵌合する。カバー１４を開くときは、樹脂弾性を利用してカバー１４の操作部３側の中央部となる係止フック１５の近傍の押圧部１４ａを押すことにより、係止フック１５を係止受け部１７から離脱することができる。治具１６をカバー１４の両側に設けることにより、カバー１４の両側部に樹脂特有の外向きの反りが生じても、治具１６が凹部１８に嵌合することにより反り防止することができ、カバー１４と開口１３の縁部との嵌合ライン１４ｂが整合し段差が生じるのを防止する。
【００２１】
この発明の第２の実施の形態を図６により説明する。すなわち、第１の実施の形態において、カバー１４の一側部に２個の治具用の治具１６を設け、その相互間隔Ｈ１を２個のボタン９の間隔Ｈ２に等しくしている。これにより、２個のボタン９を同時に操作することができる。１個のボタン９みを操作する場合はカバー１４の他側部の１個の治具１６により操作することができる。
【００２２】
なお、この発明において、治具１６で操作できるボタンは、操作面６より沈めた押しボタンに限らず、ボタンを回転式にしてもよい。例えば、プラスねじドライバやマイナスねじドライバのような治具１６をボタンの溝に係合して、ボタンを回動操作する。指の操作ではボタンが回動しにくい構成とすることにより、操作面６より沈める必要がない。
【図面の簡単な説明】
【００２３】
【図１】（ａ）はこの発明の第１の実施の形態の扉を開いた状態の斜視図、（ｂ）はその部分拡大図である。
【図２】（ａ）は扉を閉じた状態の斜視図、（ｂ）は裏面からみた斜視図である。
【図３】カバーを外した状態の斜視図である。
【図４】（ａ）はカバーの側面図、（ｂ）は正面図、（ｃ）は斜視図である。
【図５】（ａ）は扉を開いた状態の正面図、（ｂ）はそのボタンの位置の部分拡大図の付いた断面図である。
【図６】（ａ）は第２の実施の形態のカバーの側面図、（ｂ）は操作部の断面図である。
【符号の説明】
【００２４】
１    リモコン本体
４    収納部
６    操作面    
９    ボタン
９ａ    孔
１０    光源
１３    開口
１４    カバー
１６    治具
１８    凹部
【図１】
2007006002.tif 000003
【図２】
2007006002.tif 000004
【図３】
2007006002.tif 000005
【図４】
2007006002.tif 000006
【図５】
2007006002.tif 000007
【図６】
2007006002.tif 000008